(57)【要約】【課題】浴室暖房乾燥機の制御部の保守点検が簡単であり、循環ボックスの容積が小さく、運転時の空気流による騒音が小さい浴室暖房乾燥機を提供する。【解決手段】浴室に面して吸込口８１と吹出口８２を有し、内部に熱交換器１５と循環ファン１６を設けた循環ボックス１１と、脱衣室に面した吸込口２４および屋外に連通した排気口２５を有し内部に換気ファン２３を設けた換気ボックス２１をダンパ１９を介して連通させ、循環モーター２７、ステッピングモーター２６および換気モーター２２を駆動する電装箱３０を換気ボックス２１の外壁に設ける。【選択図】　図１
2004044866.tif 000002
【特許請求の範囲】
【請求項１】
一面に吸込口と吹出口を有する第１のケーシング内に熱交換器と循環ファンを設けた循環ボックスと、１つまたは複数の吸込口と１つの排気口を有する第２のケーシング内に換気ファンを設けた換気ボックスとを有し、前記循環ボックスと換気ボックスは各々の通風口が連通して連結されており、前記熱交換器、循環ファン、および換気ファンを駆動する制御回路を内蔵した電装箱が前記換気ボックスの外壁に設けられたことを特徴とする浴室暖房乾燥機。
【請求項２】
循環ボックスと換気ボックスの通風口を開閉するダンパを有し、前記循環ボックスの吸込口から吸い込まれた空気の風路が、吸い込まれた空気を熱交換器を通って循環ファンにより吹出口に送風させる第１の風路と、前記熱交換器および循環ファンを通らずに前記ダンパ部を通って換気ボックスに導入する第２の風路を有することを特徴とする請求項１に記載の浴室暖房乾燥機。
【請求項３】
電装箱が換気ボックスの吸込口または排気口が形成されていない外壁に設けられたことを特徴とする請求項１に記載の浴室暖房乾燥機。
【請求項４】
浴室暖房乾燥機が天井裏に設置されており、電装箱が天井の点検口近辺に設けられたことを特徴とする請求項１に記載の浴室暖房乾燥機。
【請求項５】
第１のケーシングの２〜４つの側面に通風口が形成され、その中の１つが換気ボックスの通風口と連通され、他の１〜３つの通風口は蓋で遮蔽されたことを特徴とする請求項１に記載の浴室暖房乾燥機。
【請求項６】
熱交換器が曲げコイル状に形成されたことを特徴とする請求項１に記載の浴室暖房乾燥機。
【請求項７】
電装箱の形状が断面逆Ｌ字形状であり、逆Ｌ字形状の各辺の箱内に電装部品が収納されたことを特徴とする請求項１、３および４のいずれかに記載の浴室暖房乾燥機。
【請求項８】
浴室暖房乾燥機が天井裏に設置されており、循環ボックスに対して換気ボックスを上方および下方にずらせて取り付けることを特徴とする請求項１に記載の浴室暖房乾燥機。
【請求項９】
換気ボックス内に回動可能なダンパを有し、前記ダンパを換気ボックス内で回動させて前記通風口または吸込口を開閉することを特徴とする請求項１または２に記載の浴室暖房乾燥機。
【請求項１０】
換気ボックスの吸込口に取付壁を設け、この取付壁に大きさの異なる風量調節板を着脱可能に取り付けることを特徴とする請求項１、２および９のいずれかに記載の浴室暖房乾燥機。
【請求項１１】
換気ボックスの吸込口に設けられた吸込アダプタの先端部に支点を中心に回動可能なシャッタを設け、前記吸込アダプタ６１の上部から調整ネジを挿通したことを特徴とする請求項１、２および９のいずれかに記載の浴室暖房乾燥機。
【請求項１２】
請求項１から１１のいずれかに記載の浴室暖房乾燥機により２４時間換気運転する際に、入浴中は浴室内の換気を中止または換気量を減らし、その間換気モータの回転数を上昇させて浴室以外からの換気量を上昇させることを特徴とする浴室暖房乾燥機の運転方法。
【請求項１３】
請求項１から１１のいずれかに記載の浴室暖房乾燥機により２４時間換気運転する際に、入浴中は浴室内の換気を中止または換気量を減らし、その間電気的に連動させた換気機器を運転することにより浴室以外からの換気量を上昇させることを特徴とする浴室暖房乾燥機の運転方法。
【請求項１４】
請求項１から１１のいずれかに記載の浴室暖房乾燥機により２４時間換気運転する際に、入浴中は浴室内の換気を中止または換気量を減らし、その換気風量の変化をＥＥＰＲＯＭに記憶させ、その後換気モーターの回転数を上昇させて換気風量を上昇させることを特徴とする浴室暖房乾燥機の運転方法。
【発明の詳細な説明】
【０００１】
【発明の属する技術分野】
本発明は、浴室や、脱衣室、洗面所、あるいはトイレなどのいわゆるサニタリーゾーンを換気、涼風、暖房、乾燥する浴室暖房乾燥機およびその運転方法に関する。なお、発明の名称および特許請求の範囲を含む本明細書全体を通じて、浴室や脱衣室、洗面所、トイレなどのいわゆるサニタリーゾーンを「浴室」と総称する。
【０００２】
【従来の技術】
浴室暖房乾燥機は浴室内の空気を吸入して熱交換後浴室内に吹き出すことにより浴室を暖房すると共に、吸入した浴室内の湿気を有する空気を室外の空気と入れ替えることにより換気し、洗濯物などを乾燥させる装置である。このような浴室暖房乾燥機としては、暖房部と換気部を一体構成とした一体型と暖房部と換気部を別体として両者を結合させる分離型が知られている。
【０００３】
分離型の浴室暖房乾燥機として、たとえば、特開２０００−３４６４１５号公報に記載された構成が知られている。
【０００４】
図９にその構成の概略を示す。浴室暖房乾燥機の本体１１１は送風機１１２と熱交換器１１３およびそれらを駆動する制御部１１４を内蔵しており、送風機１１２で浴室内から吸入した空気を熱交換器１１３で熱交換して浴室内に吹き出すことにより浴室内を暖房する。本体１１１の側壁には熱交換器１１３の下流側に連通口１１５が形成され、換気装置１１６に連通して浴室内の湿った空気を連通口１１５から換気装置１１６に供給する。すなわち、連通口１１５は換気装置１１６の吸込口を構成している。
【０００５】
換気装置１１６の連通口１１５が形成された面の直角方向の一側壁には複数の吸込口１１７、１１８が、それに対向する側壁には吹出口１１９が設けられている。図示の例では、図面の上方に吹出口１１９を、下方に吸込口１１７、１１８を形成し、空気流が下方から吸入されて上方に吹き出す場合を示したが、この関係を逆にすることもできる。これは換気装置１１６の連通口側の側壁を反対側の側壁と交換することによって実現できる。この点を考慮して、吹出口１１９は通常側壁の中央部に形成される。
【０００６】
吸込口１１７、１１８には吸込アダプタ１２０、１２１が設けられ、各々トイレや脱衣室などの他室と連通されてこれら他室からの空気を換気装置１１６の室内に吸入する。吸入された空気は換気装置１１６の室内に設けられた換気ファン１２２により吹出口１１９に導かれ、吹出アダプタ１２３に連結された排気ダクト（図示せず）を介して屋外に排気される。
【０００７】
【発明が解決しようとする課題】
上記従来の換気装置においては、送風機１１２と熱交換器１１３を駆動する制御部１１４が本体１１１の内部に内蔵されている。本体１１１は通常天井裏などに設置され、一方、制御部１１４は電気系統の部品や配線から構成されているので、制御部１１４が故障したときは天井裏の狭い空間で保守点検しなければならない。したがって、制御部１１４は本体１１１の狭い空間部に設置すると保守点検が困難になるためその設置空間も比較的大きくとられる。したがって、本体１１１の容積はその分大きいものが必要となる。
【０００８】
また、本体１１１の内部は浴室内の湿った空気が通過、循環するので、制御部１１４の電機部品が湿気などで故障したり短絡するおそれもある。
【０００９】
さらに、本体１１１内の制御部１１４以外の狭い通風部を空気が通過すると騒音も大きくなる。
【００１０】
本発明はこのような課題を解決するもので、制御部の保守点検が簡単であり、故障も少なく、しかも循環ボックスの容積が小さく運転時の騒音が小さい浴室暖房乾燥機を提供することを目的とするものである。
【００１１】
また、天井裏の形状や空間の種々の制約に対して施工の自由度が高い浴室暖房乾燥機を提供することを目的とするものである。
【００１２】
また、２４時間換気を効率的、効果的に行うことが可能な浴室暖房乾燥機を提供することを目的とするものである。
【００１３】
また、換気ボックスの吸い込み風量の調節が簡単な浴室暖房乾燥機を提供することを目的とするものである。
【００１４】
【課題を解決するための手段】
本発明の請求項１に記載の浴室暖房乾燥機は、一面に吸込口と吹出口を有する第１のケーシング内に熱交換器と循環ファンを設けた循環ボックスと、１つまたは複数の吸込口と１つの排気口を有する第２のケーシング内に換気ファンを設けた換気ボックスとを有し、循環ボックスと換気ボックスは各々の通風口が連通して連結されており、熱交換器、循環ファン、および換気ファンを駆動する制御回路を内蔵した電装箱が換気ボックスの外壁に設けられたものである。
【００１５】
本発明の請求項２に記載の浴室暖房乾燥機は、請求項１に記載の構成において、循環ボックスと換気ボックスの通風口を開閉するダンパを有し、循環ボックスの吸込口から吸い込まれた空気の風路が、吸い込まれた空気を熱交換器を通って循環ファンにより吹出口に送風させる第１の風路と、熱交換器および循環ファンを通らずにダンパ部を通って換気ボックスに導入する第２の風路を有するものである。
【００１６】
本発明の請求項３に記載の浴室暖房乾燥機は、請求項１に記載の構成において、電装箱が換気ボックスの吸込口または排気口が形成されていない外壁に設けられたものである。
【００１７】
本発明の請求項４に記載の浴室暖房乾燥機は、請求項１に記載の構成において、浴室暖房乾燥機が天井裏に設置されており、電装箱が天井の点検口近辺に設けられたものである。
【００１８】
本発明の請求項５に記載の浴室暖房乾燥機は、請求項１に記載の構成において、第１のケーシングの２〜４つの側面に通風口が形成され、その中の１つが換気ボックスの通風口と連通され、他の１〜３つの通風口は蓋で遮蔽されたものである。
【００１９】
本発明の請求項６に記載の浴室暖房乾燥機は、請求項１に記載の構成において、熱交換器が曲げコイル状に形成されたものである。
【００２０】
本発明の請求項７に記載の浴室暖房乾燥機は、請求項１、３および４のいずれかに記載の構成において、電装箱の形状が断面逆Ｌ字形状であり、逆Ｌ字形状の各辺の箱内に電装部品が収納されたものである。
【００２１】
本発明の請求項８に記載の浴室暖房乾燥機は、請求項１に記載の構成において、浴室暖房乾燥機が天井裏に設置されており、循環ボックスに対して換気ボックスを上方および下方にずらせて取り付けるものである。
【００２２】
本発明の請求項９に記載の浴室暖房乾燥機は、請求項１または２に記載の構成において、換気ボックス内に回動可能なダンパを有し、前記ダンパを換気ボックス内で回動させて前記通風口または吸込口を開閉するものである。
【００２３】
本発明の請求項１０に記載の浴室暖房乾燥機は、請求項１、２および９のいずれかに記載の構成において、換気ボックスの吸込口に取付壁を設け、この取付壁に大きさの異なる風量調節板を着脱可能に取り付けるものである。
【００２４】
本発明の請求項１１に記載の浴室暖房乾燥機は、請求項１、２および９のいずれかに記載の構成において、換気ボックスの吸込口に設けられた吸込アダプタの先端部に支点を中心に回動可能なシャッタを設け、前記吸込アダプタ６１の上部から調整ネジを挿通したものである。
【００２５】
本発明の請求項１２に記載の浴室暖房乾燥機の運転方法は、請求項１から１１のいずれかに記載の浴室暖房乾燥機により２４時間換気運転する際に、入浴中は浴室内の換気を中止または換気量を減らし、その間換気モータの回転数を上昇させて浴室以外からの換気量を上昇させるものである。
【００２６】
本発明の請求項１３に記載の浴室暖房乾燥機の運転方法は、請求項１から１１のいずれかに記載の浴室暖房乾燥機により２４時間換気運転する際に、入浴中は浴室内の換気を中止または換気量を減らし、その間電気的に連動させた換気機器を運転することにより浴室以外からの換気量を上昇させるものである。
【００２７】
本発明の請求項１４に記載の浴室暖房乾燥機の運転方法は、請求項１から１１のいずれかに記載の浴室暖房乾燥機により２４時間換気運転する際に、入浴中は浴室内の換気を中止または換気量を減らし、その換気風量の変化をＥＥＰＲＯＭに記憶させ、その後換気モーターの回転数を上昇させて換気風量を上昇させるものである。
【００２８】
【発明の実施の形態】
本発明の請求項１に記載の浴室暖房乾燥機によれば、一面に吸込口と吹出口を有する第１のケーシング内に熱交換器と循環ファンを設けた循環ボックスと、１つまたは複数の吸込口と１つの排気口を有する第２のケーシング内に換気ファンを設けた換気ボックスとを有し、循環ボックスと換気ボックスは各々の通風口が連通して連結されており、熱交換器、循環ファン、および換気ファンを駆動する制御回路を内蔵した電装箱が換気ボックスの外壁に設けられているので、電装箱の保守点検を換気ボックスの外部から行うことができる。したがって、保守点検作業が簡単である。また、電装箱周辺に高湿度の空気が通過することがないので制御回路系の信頼性が向上する。
【００２９】
さらに、循環ボックスの容積を小さくすることができ、同一風量であれば、運転時の空気流による騒音も小さくすることができる。
【００３０】
本発明の請求項２に記載の浴室暖房乾燥機は、請求項１に記載の構成において、循環ボックスと換気ボックスの通風口を開閉するダンパを有し、循環ボックスの吸込口から吸い込まれた空気の風路が、吸い込まれた空気を熱交換器を通って循環ファンにより吹出口に送風させる第１の風路と、熱交換器および循環ファンを通らずにダンパ部を通って換気ボックスに導入する第２の風路を有するので、循環ボックス全体を風路とすることができる。したがって、吸い込み時の圧損を低減することができるので、循環ボックス内を通過する空気の流速を小さくすることができ、騒音を低減させることができる。また、電装箱がない分循環ボックスの容積を小さくすることもできる。
【００３１】
本発明の請求項３に記載の浴室暖房乾燥機は、請求項１に記載の構成において、電装箱が換気ボックスの吸込口または排気口が形成されていない外壁に設けられているので、保守点検作業を吸込口や排気口が邪魔にならずに行うことができる。
【００３２】
本発明の請求項４に記載の浴室暖房乾燥機は、請求項１に記載の構成において、浴室暖房乾燥機が天井裏に設置されており、電装箱が天井の点検口近辺に設けられているので、保守点検作業を天井裏に入らずに点検口から行うことができる。
【００３３】
本発明の請求項５に記載の浴室暖房乾燥機は、請求項１に記載の構成において、第１のケーシングの２〜４つの側面に通風口が形成され、その中の１つが換気ボックスの通風口と連通され、他の１〜３つの通風口は蓋で遮蔽されているので、換気ボックスを循環ボックスの２〜４方向に対して設置可能となり、天井裏の形状や空間の種々の制約を受けずに自由に施工することができる。
【００３４】
本発明の請求項６に記載の浴室暖房乾燥機は、請求項１に記載の構成において、熱交換器が曲げコイル状に形成されているので、ストレート形状よりも吸込み面積が大きくなる。したがって熱交換の能力が大きくなり、吸込み空気の流速を小さくすることができるので騒音を小さくすることができる。
【００３５】
本発明の請求項７に記載の浴室暖房乾燥機は、請求項１、３および４のいずれかに記載の構成において、電装箱の形状が断面逆Ｌ字形状であり、逆Ｌ字形状の各辺の箱内に電装部品が収納されているので、電装箱の厚さを小さくできる。したがって、点検者の手元の作業空間を広くとることができるので、保守点検の施工性が向上する。またモーターリード線を電装箱内を通すことにより絶縁保護もできる。
【００３６】
本発明の請求項８に記載の浴室暖房乾燥機は、請求項１に記載の構成において、浴室暖房乾燥機が天井裏に設置されるときに、循環ボックスに対して換気ボックスを上方および下方にずらせて取り付けるので、天井裏にリブがある場合や上方に障害物がある場合でも換気ボックスと天井板や上部との隙間を十分に確保することができる。
【００３７】
本発明の請求項９に記載の浴室暖房乾燥機は、請求項１または２に記載の構成において、換気ボックス内に回動可能なダンパを有し、前記ダンパを換気ボックス内で回動させて前記通風口または吸込口を開閉するようにしているので、通風口または吸込口の開閉制御を簡単に行うことができる。また、ダンパの回動位置を調節することにより通風口や吸込口からの吸込み風量を調節することができる。
【００３８】
本発明の請求項１０に記載の浴室暖房乾燥機は、請求項１、２および９のいずれかに記載の構成において、換気ボックスの吸込口に取付壁を設け、この取付壁に大きさの異なる風量調節板を着脱可能に取り付けるようにしているので、風量調節板の大きさにより風路面積を調節して換気ボックスの吸込口からの吸込み風量を調整することができる。
【００３９】
本発明の請求項１１に記載の浴室暖房乾燥機は、請求項１、２および９のいずれかに記載の構成において、換気ボックスの吸込口に設けられた吸込アダプタの先端部に支点を中心に回動可能なシャッタを設け、前記吸込アダプタ６１の上部から調整ネジを挿通したので、調整ネジの締め込み度合いを調整することによりシャッタの開き度合いを制御して換気ボックスの吸込口からの吸込み風量を調整することができる。
【００４０】
本発明の請求項１２に記載の浴室暖房乾燥機の運転方法は、請求項１から１１のいずれかに記載の浴室暖房乾燥機により２４時間換気運転する際に、入浴中は浴室内の換気を中止または換気量を減らし、その間換気モータの回転数を上昇させて浴室以外からの換気量を上昇させるようにしたので、入浴時に浴室内の換気を中止または換気量を減らしても家屋全体の２４時間換気における必要換気回数に対応する所定の換気総風量を保つことができる。
【００４１】
本発明の請求項１３に記載の浴室暖房乾燥機の運転方法は、請求項１から１１のいずれかに記載の浴室暖房乾燥機により２４時間換気運転する際に、入浴中は浴室内の換気を中止または換気量を減らし、その間電気的に連動させた換気機器を運転するようにしたので、入浴時に浴室内の換気を中止または換気量を減らしても家屋全体の２４時間換気における必要換気回数に対応する所定の換気総風量を保つことができる。
【００４２】
本発明の請求項１４記載の浴室暖房乾燥機の運転方法は、請求項１から１１のいずれかに記載の浴室暖房乾燥機により２４時間換気運転する際に、入浴中は浴室内の換気を中止または換気量を減らし、その換気風量の変化をＥＥＰＲＯＭに記憶させ、その後換気モーターの回転数を上昇させて換気風量を上昇させるようにしたので、入浴時に浴室内の換気を中止または換気量を減らしても家屋全体の２４時間換気における必要換気回数に対応する所定の換気総風量を保つことができる。
【００４３】
以下、本発明の実施の形態について、図面とともに詳細に説明する。
【００４４】
（実施の形態１）
図１は本発明の実施の形態１における浴室暖房乾燥機１０の全体構成を示す概略図、図２は図１における要部の断面図、図３は図１における要部の平面図である。図１から図３において、浴室暖房乾燥機１０は浴室内の空気を吸入し熱交換して再び浴室内に循環させる循環ボックス１１および浴室や脱衣室、トイレなどの空気を換気する換気ボックス２１から構成され、通常浴室の天井裏に設置される。
【００４５】
循環ボックス１１は天井板１２上に設置され、第１のケーシング８の浴室に面した壁面８０に吸込口８１および吹出口８２を有している。天井板１２には、循環ボックス１１の吸込口８１および吹出口８２に対応する位置に穴１３が形成され、その下側にグリル１４がはめ込まれる。グリル１４には吸込口８１側に吸込ルーバ１４１、吹出口８２側に吹出ルーバ１４２が設けられる。第１のケーシング８の４側面には通風口８３、８４、８５、８８が形成される。
【００４６】
その中の１つである通風口８３に連通して固定板２０を介して換気ボックス２１が設けられる。固定板２０の中央部に通風口２０１が形成され、換気ボックス２１にも通風口８３、２０１に連通する様に通風口９１が設けられ、循環ボックス１１とを固定板２０を介してそれぞれの通風口８３、９１、２０１が連通するようにボルトおよびナットで固定する。詳細は後述する。換気ボックス２１には通風口９１を開閉するため、ステッピングモーター２６によって回転するダンパー１９が設けられている。通風口８３以外の通風口８４、８５、８８は蓋８６、８７、８９でふさがれる。第１のケーシング８の４側面に通風口８３、８４、８５、８８を形成する理由は後述する。
【００４７】
第１のケーシング８内には２つの風路１７、１８が構成される。第１の風路１７は吸込口８１から吸い込まれた空気を熱交換器１５および循環モーター２７で回転する循環ファン１６を介して吹出口８２に導く風路、第２の風路１８は吸込口８１から吸い込まれた空気を熱交換器１５および循環ファン１６を通さずに循環ボックス１１内を通過させ、通風口８３、２０１、９２を通って、ダンパ１９から換気ボックス２１に導く風路である。熱交換器１５は曲げコイル状に形成されており、ストレート形状よりも吸込み面積が大きくなるように形成されている。
【００４８】
換気ボックス２１は第２のケーシング９内に換気モータ２２で回転する換気ファン２３を内蔵しており、第２のケーシング９の相対する２つの側壁に吸込口２４、２６および排気口２５が設けられている。吸込口２４、２６および排気口２５はグリル１４に面していない部屋の換気を行うためのもので、吸込口２４、２６には吸込ダクト２４１、２６１が接続され、たとえば、脱衣室やトイレなど換気をする部屋の換気口に接続される。排気口２５には排気ダクト２５１が接続され、屋外への排気口に接続される。第２のケーシング９の他の側壁の外面には、熱交換器１５、循環モーター２７、ステッピングモーター２６および換気モーター２２を駆動するためのプリント基板３０１や端子台３０２をケーシング内に組み込んだ電装箱３０が設けられる。
【００４９】
電装箱３０と熱交換器１５、循環モーター２７、ステッピングモーター２６および換気モーター２２を結ぶ信号線は図示を省略する。
【００５０】
つぎに動作を説明する。浴室を暖房する場合は、ルーバ１４１および循環ボックス１１の吸込口８１から吸入した浴室内の空気を風路１７に従って熱交換器１５で熱交換して温度を上昇させ、循環ファン１６で吹出口８３からルーバ１４２を介して浴室内に循環させる。このとき、ダンパ１９は閉じられていても開いていても関係ない。
【００５１】
この動作においては、前述したように熱交換器１５が曲げコイル状に形成されているのでストレート形状よりも吸込み面積が大きく、したがって熱交換の能力が大きくなるので吸込み空気の量が同じでも流速を小さくすることができるので騒音を小さくすることができる。
【００５２】
ダンパ１９が閉じられているときは、換気モーター２２の運転は任意であるが、換気モーター２２を運転することにより吸込口２４、２６に連通した脱衣室やトイレからの空気を吸込口２４、２６から吸い込み、換気ファン２３で排気口２５から屋外に排気させて換気を行うことができる。
【００５３】
一方、浴室内を換気する場合は、ルーバ１４１および循環ボックス１１の吸込口８１から吸入した浴室内の空気を風路１８に従って循環ボックス１１の内部を熱交換器１５および循環ファン１６を通さずに通し、ダンパ１９を開いて換気ボックス２１に導入する。換気ボックス２１では、導入された浴室内の空気を換気ファン２３で排気口２５に送り、屋外に排気することにより浴室内の換気、乾燥を行う。このとき換気ボックス２１の吸込口２４、２６にダンパー（図示せず）を設け、それが開いていれば吸込口２４、２６に連通した脱衣室やトイレなど他の部屋の換気も同時に行われる。ダンパーが閉じていればグリル１４に面した浴室内のみの換気、乾燥が行われる。
【００５４】
なお、浴室内で洗濯物などを乾燥させる場合には暖房運転と換気運転を同時にまたは交互に行うようにすることもできる。
【００５５】
これらの動作の制御や切換えは、図示しないリモコンなどにより制御信号が信号線（図示せず）により電装箱３０に送られ、制御回路を駆動する。
【００５６】
本実施の形態においては、電装箱３０は換気ボックス２１の外壁に設けられている。したがって高湿度の空気が制御回路の周囲を通過することがないので制御回路系の信頼性が向上する。
【００５７】
また、循環ボックス１１内に電装箱３０がないので風路１７、１８を広くすることができる。このため同一風量でも循環ボックス１１内を通過する空気の流速を小さくすることができ、騒音を低減させることができる。また、電装箱３０がない分循環ボックス１１の容積を小さくすることもできる。
【００５８】
また、天井裏に設置された浴室暖房乾燥機１０の点検口３３は通常換気ボックス２１側に設けられるので、端子台３０２に電源線３２を接続する作業や電装箱３０の電気回路系を保守点検、修理をする際に、天井裏に上がらずに点検口３３から上半身を入れるだけで作業することができる。
【００５９】
ところで、前述したように、浴室暖房乾燥機１０は通常天井裏に設置されるが、近年、浴室の天井をドーム天井とした住宅が増えている。この場合、ドームの場所や形状によって換気ボックス２１がドーム天井に邪魔されて設置が困難な場合がしばしばある。この場合は、図１において、固定板２０および換気ボックス２１を通風口８３以外の通風口８４または８５、８８の位置に移動させ、通風口８３は蓋８５または８６、８９で覆うようにする。このように通風口８３、８４、８５、８８の位置を循環ボックス１１の４側面に形成し、使用しない通風口８３、８４、８５は蓋８５、８６、８９で覆って遮蔽するようにすれば、換気ボックス２１を循環ボックス１１の４方向に対して設置可能なので、天井裏の形状や空間の種々の制約を受けずに自由に施工することができる。
【００６０】
なお、通風口８３、８４、８５、８８および蓋８５、８６、８９は循環ボックス１１の４側面に全て無くてもよく、また、１側面に２つ以上あってもよい。
【００６１】
なお、熱交換器１５としてはＰＴＣヒータ、温水用コイルあるいはヒートポンプ用コイルなども使用可能であり、本発明における熱交換器１５はこれらも含むものである。
【００６２】
また、ダンパー１９は循環ボックス１１側に設けてもその作用効果は変わらない。
【００６３】
（実施の形態２）
図４は本発明の実施の形態２における浴室暖房乾燥機１０の構成における要部の概略図である。図４において、図１と同一部分には同一符号を付す。本実施の形態２は電装箱３０の厚さや横幅を減らすために、電装箱３０の形状を断面が逆Ｌ字形状とし、逆Ｌ字形状の各辺の箱内にプリント基板３０１、端子台３０２などの電装部品を収納する。プリント基板３０１は信号線３０３により換気ボックス２１の換気モータ２２に接続され、また、信号線３０４によりコネクタ３０５に接続される。一方循環ボックス１１の熱交換器１５、循環モーター２７、ステッピングモーター２６を駆動するための信号線３０６もコネクタ３０５に接続され、プリント基板３０１で制御された駆動信号が信号線３０４、コネクタ３０５、信号線３０６を介して循環ボックス１１の熱交換器１５、循環モーター２７、ステッピングモーター２６に供給されそれぞれを駆動する。
【００６４】
この実施の形態２は電装箱３０の厚さを小さくできるので、点検者が点検口３３から上半身を入れたときに頭が当たったり、手元の作業空間が狭くなるのを防止することができ、保守点検の施工性が向上する。
【００６５】
また、換気モーター２２がＡＣモーターなどの高電圧モーターばどの場合に電気安全法準拠のため信号線３０３が器体外に露出しないようにすることもできる。この場合、電装箱３０を分割し、プリント基板３０３、端子台３０２部分と信号線３０３部分に分けると施工性は向上する。
【００６６】
（実施の形態３）
図５は本発明の実施の形態３における浴室暖房乾燥機１０の構成における要部の斜視図である。図５において、図１と同一部分には同一符号を付す。
【００６７】
一般家屋などでは天井裏の天井板１２にリブ４１などが設けられている。このリブが天井裏に出っ張っていると、浴室暖房乾燥機１０を天井裏に設置する際にリブ４１の出っ張りにより換気ボックス２１と天井板１２との間の隙間が狭くなって設置できないことがある。
【００６８】
本実施の形態３においては、この問題を解決するために、固定板２０を上方に移動させ、この固定板２０に換気ボックス２１を取り付けることにより循環ボックス１１に対して換気ボックス２１をリブ４１の出っ張り分だけ上にずらせて固定する。このとき循環ボックス１１の通風口８３をあらかじめ下方にやや大きくなるように形成しておき、固定板２０と換気ボックス２１を上にずらせて固定したときに固定板２０の通風口２０１が小さくならないように設定しておく。
【００６９】
まず、固定板２０を循環ボックス１１に対してリブ４１の出っ張り分だけ上にずらせてネジ４２で固定し、つぎに固定板２０の下端部に設けた取付部４３に換気ボックス２１の下端に形成した穴４４を挿通させ、ボルト４５を換気ボックス２１の通し穴４６に通して固定板２０の上端部におけるナット４７で固定する。この結果、リブ４１が換気ボックス２１の下側に位置するようになり、換気ボックス２１と天井板１２との隙間も十分確保することができる。
【００７０】
なお、リブ４１が図５のように一方向であり、循環ボックス１１の横側にリブ４１等の邪魔者がない場合には、実施の形態１で説明したように固定板２０および換気ボックス２１を横側の通風口の位置に移動させて連結すればよいことはもちろんである。
【００７１】
また、換気ボックス２１の上方にでっぱりがある場合などは、固定板２０を循環ボックス１１に対して下にずらせて固定し、換気ボックス２１を連結できる様にしてもよい。
【００７２】
（実施の形態４）
本実施の形態４は図１および図２、図３で説明した浴室暖房乾燥機１０を利用した２４時間換気に関する運転方法である。
【００７３】
近年、住宅の建材からホルムアルデヒドが発生しアレルギー性ぜんそくなどの原因になることが問題になっている。このため、住宅の品質確保の促進等に関する法律（いわゆる品確法）などにより２４時間換気システムが必須のものとして提唱されている。
【００７４】
本実施の形態４は図１および図２、図３で説明した浴室暖房乾燥機１０によりこの２４時間換気システムを実現するものである。
【００７５】
換気ボックス２１の吸込口２４に接続されたダクト２４１によりたとえば住宅の一室である脱衣室から空気を吸い込み、換気ファン２３で排気口２５からダクト２５１で屋外に２４時間連続で排気を続けると、住宅の２４時間換気は可能である。
【００７６】
ところが、入浴中にこの換気運転を行うと入浴している浴室も換気され続けるので入浴者が冷風感を感じ好ましくない。
【００７７】
そこで本実施の形態４では、入浴中は浴室内の換気を中止また、換気量を減らすようにする。すなわち、入浴時にリモコンにより換気運転を中止するとダンパ１９が閉状態または閉に近い状態になり浴室内の風の流れは少なくなる。一方、入浴時の浴室の換気を中止または換気量を減らすと２４時間換気運転における総換気風量が減少する。そこで総換気風量の減少を防止するために入浴時に浴室の換気を中止または、換気量を減らしたときは換気モータ２２の回転数を上昇させて脱衣室からの換気量を上昇させるか、入浴中は浴室暖房乾燥機１０と電気的に連動させた他の換気機器を運転させて他室の換気量を上昇させる。
【００７８】
入浴中は浴室の換気を中止または、換気量を減らしながら、入浴後に換気モーター２２の回転数を上昇させて浴室や脱衣室からの換気量を上昇させる場合はたとえば以下のように行う。
【００７９】
あらかじめ、家屋全体の２４時間換気における必要換気回数に対応する換気総風量をリモコン（図示せず）で設定する。つぎに、入浴中に換気を中止した時間を電装箱３０のＥＥＰＲＯＭに記憶させ、この記憶値に従って換気不足量を算出し、その不足分を２４時間平均で補う様入浴後の換気モータ２２の回転数と運転時間を制御する。たとえば、換気モータ２２の回転数Ｒのときの換気量をＶとして運転時間Ｔだけ運転すると２４時間換気における必要換気回数に対応する換気総風量Ｐが得られるとすれば、Ｖ×Ｔ＝Ｐで表される。この状態において浴室の換気をｔ時間中止したことによって換気風量ｐだけ減少した場合に、運転時間Ｔを変えないで調節する場合は換気モータ２２の換気風量がＶ＋ｐ／ｔになるように回転数を高くしてＴ時間運転するように制御する。
【００８０】
（実施の形態５）
図６は本発明の実施の形態５における浴室暖房乾燥機１０の構成における要部の概念図である。図６において、図１と同一部分には同一符号を付す。５１は回転式のダンパで、先端に換気ボックス２１の通風口９１および吸込口２４を開閉するためのダンパ板５２が設けられており、ダンパモータ５３により換気ボックス２１内を回動可能に取り付けられている。
【００８１】
実施の形態４における入浴時に浴室の換気運転を停止させるには、ダンパ板５２が位置ａにきて浴室に連通している循環ボックス１１と連通した換気ボックス２１の通風口９１を遮蔽するようにダンパモータ５３でダンパ５１を回動させる。この回動制御はリモコンで行われる。このとき換気ボックス２１の吸込口２４は開放されているので脱衣室などの換気は継続される。
【００８２】
つぎに、入浴が終わって浴室の換気を急速に行う場合や浴室の乾燥時には浴室からの換気風量を増大するためにダンパ５１を位置ｂに回動させて換気ボックス２１の通風口９１を開放し、ダンパ板５２で換気ボックス２１の吸込口２４を遮蔽して換気運転を行う。この場合、ダンパ５１の回動位置を位置ｂから若干ずらせて吸込口２４を少しあけておくことにより脱衣室の換気も停止させずに換気運転することも可能である。このように、ダンパ５１の回動位置を調節することにより吸込口２４からの吸込み風量を調節することができる。同様に、浴室からの風量も調節することができる。
【００８３】
通常の２４時間運転の状態では、ダンパ５１を位置ｃに回動させ、換気ボックス２１の通風口９１および換気ボックス２１の吸込口２４を開放して換気運転を行う。ダンパ５１が位置ｃにあるときは換気ボックス２１内の空気抵抗が小さくなるので騒音を低減することができる。
【００８４】
なお、換気ボックス２１の位置ｃに対応する位置に吸込口を形成し、この吸込み口をトイレなど他の室からの空気の吸込口とすれば３室換気を行うことができる。
【００８５】
また、図５における換気ボックス２１の形状を円筒形状とし、外壁に複数の吸込口を形成してその各々にダンパ５１のダンパ板５２が移動可能なように構成してもよい。
【００８６】
（実施の形態６）
図７は本発明の実施の形態６における浴室暖房乾燥機１０の構成における要部の概念図である。図７において、図１と同一部分には同一符号を付す。
【００８７】
実施の形態５においては、ダンパ５１の回動位置を調整して吸込口からの風量を調整したが、本実施の形態６においては換気ボックスの吸込口２４にとりつける吸込アダプタ６１に取付壁６２を設け、この取付壁６２に種々の大きさの風量調節板６３を着脱可能に挟み込むことにより風路面積を調節した後吸込アダプタ６１にダクト２４１（図示せず）を接続する。風量調節板６３の大きさは、施工時に浴室、脱衣室、トイレなど各室の大きさや位置などからあらかじめ各室の換気風量バランスを算定しておき、家屋全体としての風の流れが最適になるように設定する。
【００８８】
（実施の形態７）
図８は本発明の実施の形態７における浴室暖房乾燥機１０の換気ボックス２１の吸込口部の概念図である。実施の形態６においては、吸込アダプタ６１に取付壁６２を設け、この取付壁６２に風量調節板６３を挟み込んで風路面積を調節したが、本実施の形態７においては、吸込アダプタ６１の先端部に支点６５を中心に回動可能なシャッタ６４を設ける。また、吸込アダプタ６１の上部にはネジボス６６が設けられ、このネジボス６６に調整ネジ６７が挿通される。この状態で吸込アダプタ６１にダクト２４１（図示せず）を接続する。
【００８９】
換気運転していない状態ではシャッタ６４は図８の位置ｄに停止している。換気運転を開始すると、シャッタ６４が吸い込み空気に押されて支点６５を中心に吸込アダプタ６１内に向かって回動する。このとき、調整ネジ６７の締め込み度合いに応じてシャッタ６４の開き角度が変わり、調整ネジ６７が締め込まれていないときは位置ｆまで開くが、調整ネジ６７を締め込むとその締め込み位置に対応して位置ｅまでしか開かない。したがって、換気ボックス２１に吸い込まれる空気の風路はシャッタ６４の開き度合いに応じて大きさが変わるので、調整ネジ６７の締め込み度合いを調整することにより吸い込み風量を調整することができる。このときの風量調節も実施の形態６と同様に、施工時に浴室、脱衣室、トイレなど各室の大きさや位置などからあらかじめ各室の換気風量バランスを算定しておき、家屋全体としての風の流れが最適になるように調整する。
【００９０】
なお、以上の各実施の形態において、熱交換器１５としてはＰＴＣヒータ、温水用コイルあるいはヒートポンプ用コイルなども使用可能であり、本発明における熱交換器１５はこれらも含むものである。
【００９１】
また、電装箱３０の取付位置を換気ボックスの一側面にした場合について説明したが、点検口３３の近傍であれば電装部品の一部を換気ボックスのその他の側面や、上面、下面に設けてもよい。また、循環ボックスの側面や、上面、下面に設けてもよい。
【００９２】
また、換気を浴室と脱衣室の２室換気で説明したが、浴室１室換気あるいはトイレその他を含んだ３室換気でも同様な用効果を有するものである。
【００９３】
【発明の効果】
以上のように本発明によれば、熱交換器、循環ファン、ダンパおよび換気ファンなどを駆動するための制御回路をケーシング内に組み込んだ電装箱を換気ボックスの外壁に設けることにより制御回路の保守点検が簡単であり、故障も少なく、しかも循環ボックスの容積が小さく運転時の騒音が小さい浴室暖房乾燥機を提供することができる。
【００９４】
また、天井裏の形状や空間の種々の制約に対して施工の自由度が高い浴室暖房乾燥機を提供することができる。
【００９５】
また、２４時間換気を効率的、効果的に行うことが可能な浴室暖房乾燥機を提供することができる。
【００９６】
また、換気ボックスの吸い込み風量の調節が簡単な浴室暖房乾燥機を提供することができる。
【図面の簡単な説明】
【図１】本発明の実施の形態１における浴室暖房乾燥機の全体構成を示す概略図
【図２】図１におけるに浴室暖房乾燥機の要部の断面図
【図３】図１におけるに浴室暖房乾燥機の要部の平面図
【図４】本発明の実施の形態２における浴室暖房乾燥機の要部の概略図
【図５】本発明の実施の形態３における浴室暖房乾燥機の要部の斜視図
【図６】本発明の実施の形態５における浴室暖房乾燥機の要部の概念図
【図７】本発明の実施の形態６における浴室暖房乾燥機の要部の概念図
【図８】本発明の実施の形態７における浴室暖房乾燥機の換気ボックスの吸込口部の概念図
【図９】従来の浴室暖房乾燥機の構成を示す概略図
【符号の説明】
８　　第１のケーシング
９　　第２のケーシング
１０　浴室暖房乾燥機
１１　循環ボックス
１２　天井板
１３　穴
１４　グリル
１５　熱交換器
１６　循環ファン
１７　第１の風路
１８　第２の風路
１９　ダンパ
２０　固定板
２１　換気ボックス
２２　換気モータ
２３　換気ファン
２４　吸込口
２６　吸込口
８１　吸込口
２５　排気口
２６　ステッピングモーター
２７　循環モーター
３０　電装箱
３２　電源線
３３　点検口
４１　リブ
４２　ネジ
４３　取付部
４５　ボルト
４６　通し穴
４７　ナット
５１　ダンパ
５２　ダンパ板
５３　ダンパモータ
６１　吸込アダプタ
６２　取付壁
６３　風量調節板
６４　シャッタ
６５　支点
６６　ネジボス
６７　調整ネジ
８０　壁面
８２　吹出口
８９　蓋
１４１　吸込ルーバ
１４２　吹出ルーバ
２０１　通風口
２４１　ダクト
２５１　ダクト
２６１　ダクト
３０１　プリント基板
３０２　端子台
３０３　信号線
３０４　信号線
３０５　コネクタ
【図１】
2004044866.tif 000003
【図２】
2004044866.tif 000004
【図３】
2004044866.tif 000005
【図４】
2004044866.tif 000006
【図５】
2004044866.tif 000007
【図６】
2004044866.tif 000008
【図７】
2004044866.tif 000009
【図８】
2004044866.tif 000010
【図９】
2004044866.tif 000011